(57)【要約】      （修正有）【課題】送返信兼備の往復式郵送方法を郵便用の封筒に限定せず郵便物以外の配送用の小包封筒などにも利用できるようにする。【解決手段】配送用の小包封筒と返送用の小包封筒とを備えた返送信併用式の配送方法において、配送品の返送を必要とする配送用の小包封筒に配送品を配送した小包に収納して配送元に返送する配返送併用式の配送方法と、配送物の返送を必要とする配送用の封筒において封筒を小包形状に成型可能となるように一体形成し、封筒の裏面に対して返送用の表面を内側に折曲げかつ配送用の表面を返送用の表面に重ね合わせるように折曲げ、更に両表面の両側部を貼着してなる配返送併用式の配送方法に使用される小包封筒の提供。【選択図】図１
2009113828.tif 000002
【特許請求の範囲】
【請求項１】
配送用の小包封筒と返送用の小包封筒とを備えた返送信併用式の配送方法において、配送品の返送を必要とする配送用の小包封筒に配送品を配送した小包に収納して配送元に返送することを特徴とする配返送併用式の配送方法。
【請求項２】
請求項１記載の配送方法において、配送先の宛名と返送先の宛名を封筒に直接印刷してなる請求項１記載の配返送併用式の配送方法。
【請求項３】
請求項１記載の配送方法において、配送用の伝票と返送用の伝票とを封筒に貼着してなる請求項１記載の配返送併用式の配送方法。
【請求項４】
配送物の返送を必要とする配送用の封筒において、前記封筒を小包形状に成型可能となるように一体形成し、封筒の裏面に対して返送用の表面を内側に折曲げかつ配送用の表面を返送用の表面に重ね合わせるように折曲げ、更に両表面の両側部を貼着してなるとを特徴とする配返送併用式の配送方法に使用される小包封筒。
【請求項５】
請求項４記載の小包封筒において、配送用表面の上下部に切剥部を設けかつ下側部を貼着してなる請求項４記載の配返送併用式の配送方法に使用される小包封筒。
【請求項６】
請求項４記載の小包封筒において、配送用表面に配送先の宛名を印刷又は配送先と返送先の宛名を記入された伝票を貼着してなる請求項４記載の配返送併用式の配送方法に使用される小包封筒。
【請求項７】
請求項６記載の小包封筒において、使用される小包封筒がいかなる素材により成型されかついかなる形状・大きさに成型される請求項４から６記載の配返送併用式の配送方法に使用される小包封筒。
【発明の詳細な説明】
【技術分野】
【０００１】
本発明は主として配送用の封筒に関するが、詳しくは配送用と返送用とを兼ね備えた配返送併用式の配送方法とその使用小包封筒に関するものである。
【背景技術】
【０００２】
従来から行われている宅配便などの配送方法は、配送先への一方的な宅配方法が一般的であり、宅配された品物を返送する方法はなかった。一方、郵便封筒で郵送する方法には送信と返信とを兼ね備えた方法は開発されている。例えば、本願出願人が開発して開示した開発２００４−９１０４８号公報の「送返信兼備の往復式郵送方法とその使用封筒」がある。この方法は、従来の往復式封筒を改良して簡単容易に返信封筒を作成して郵送できるようにするところに課題があり、その解決手段は送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊り付けしてなる往復式封筒本体を設け、該封筒本体の開口部を指先を左右に移動させて開封しかつフラップ部分を糊り付けして返信することを特徴とする送返信兼備の往復式郵送方法とその使用封筒の提供にある。
【特許文献１】特開２００４−９１０４８号公報  具体的には図１１（ａ）〜図１１（ｃ）に示すように、この往復式封筒本体３１は送信宛名Ａを表記する表側３２と返信宛名Ｂを表記する裏側３３とから構成されている。更に、裏側３３の一端には開封部３４が設けられている。このように構成されている往復式封筒本体３１は、図１１（ｃ）で示しているように１枚の紙を中央から折り曲げ紙面に糊付部３５を設けて糊付けされている。また裏側３３の一端には、ミシン目と脱着片とを有するフラップ３８が一体形成されている。次に、この往復式封筒の使用方法について説明する。まず図１１（ａ）から図１１（ｃ）に示す往復式封筒本体１１の中に所望の書面Ｓを入れてフラップ３８を内側に折り曲げて裏側３３の線面を糊付けして送信する。その際、フラップ３８の先端部は裏側３３の内側に糊付けされる。ついで、送信先に往復式封筒本体３１が着送されたならば裏側３３の開封部３４に有している半円形状の部分を手前に引き、そこに指先Ｒを差し込み左右に移動させるとフラップ３８の脱着片から裏側３３が剥がれるので、この封筒部３４から通知文などの書面Ｓを取り出す。ついで、取り出された書面Ｓの返信書面に所望文字を記入して返信する。返信する場合は、書面Ｓを入れた後にフラップ３８の糊付けされていた脱着部を切り剥し裏側３３の上面をチューブ入りの糊を用いて糊付けして郵送する。
【０００３】
更に図２（ａ）から図２（ｃ）により他の実施例について説明すれば、この往復式封筒本体４１は基本的な構成は図１１に示した往復式封筒本体３１と同じであるが、開封方法と封印方法が異なるものである。その相違点は、フラップ４５に２ケ所のミシン目４４を設けている点と送信用の裏側４２に内側片４３が設けられている点である。すなわち、送信用の裏側（図示せず）の先端部分にミシン目４４入りのクラップ４５を一体形成し、一方返信用の裏側４２の先端部分にフラップ４５よりも小さな内側片４３が一体形成されている。このように構成されている往復式封筒本体４１を用いて返信する場合は、返信用宛名Ｐが記入（返信用の文字）されている部分を残してミシン目４４からフラップ４５を切り剥がし、更にフラップ４５全体のミシン目４４からフラップ４５を切り取り表側の先端に有する内側片４３を表側にして糊付けして郵送する。
【発明の開示】
【発明が解決しようとする課題】
【０００４】
このような本願出願人が開発し開示した送返信兼備の往復式郵送方法を郵便用の封筒に限定せず郵便物以外の配送用の小包封筒などにも利用できるようにしたところに、本発明が解決しようとする解題を有する
【課題を解決するための手段】
【０００５】
本発明は、配送用の小包封筒と返送用の小包封筒とを備えた返送信併用式の配送方法において、配送品の返送を必要とする配送用の小包封筒に配送品を配送した小包に収納して配送元に返送することを特徴とする配返送併用式の配送方法の提供にあり、また前記配送方法において配送先の宛名と返送先の宛名を封筒に直接印刷してなる配返送併用式の配送方法の提供にあり、また前記配送方法において配送用の伝票と返送用の伝票とを封筒に貼着してなる配返送併用式の配送方法の提供にある。
【０００６】
更に本発明は、配送物の返送を必要とする配送用の封筒において前記封筒を小包形状に成型可能となるように一体形成し、封筒の裏面に対して返送用の表面を内側に折曲げかつ配送用の表面を返送用の表面に重ね合わせるように折曲げ、更に両表面の両側部を貼着してなるとを特徴とする配返送併用式の配送方法に使用される小包封筒の提供にあり、また前記小包封筒において配送用表面の上下部に切剥部を設けかつ下側部を貼着してなる配返送併用式の配送方法に使用される小包封筒の提供にあり、また前記小包封筒において配送用表面に配送先の宛名を印刷又は配送先と返送先の宛名を記入された伝票を貼着してなる配返送併用式の配送方法に使用される小包封筒の提供にあり、また前記の小包封筒において使用される小包封筒がいかなる素材により成型されかついかなる形状・大きさに成型される配返送併用式の配送方法に使用される小包封筒の提供にある。
【発明の効果】
【０００７】
本発明は、配送用の小包封筒と返送用の小包封筒とを備えた返送信併用式の配送方法において、配送品の返送を必要とする配送用の小包封筒に配送品を配送した小包に収納して配送元に返送することを特徴とする配返送併用式の配送方法であり、また前記配送方法において配送先の宛名と返送先の宛名を封筒に直接印刷してなる配返送併用式の配送方法であり、また前記の配送方法において配送用の伝票と返送用の伝票とを封筒に貼着してなる配返送併用式の配送方法である。
【０００８】
また本発明は、配送物の返送を必要とする配送用の封筒において前記封筒を小包形状に成型可能となるように一体形成し、封筒の裏面に対して返送用の表面を内側に折曲げかつ配送用の表面を返送用の表面に重ね合わせるように折曲げ、更に両表面の両側部を貼着してなるとを特徴とする配返送併用式の配送方法に使用される小包封筒であり、また前記小包封筒において配送用表面の上下部に切剥部を設けかつ下側部を貼着してなる配返送併用式の配送方法に使用される小包封筒であり、また前記小包封筒において配送用表面に配送先の宛名を印刷又は配送先と返送先の宛名を記入された伝票を貼着してなる配返送併用式の配送方法に使用される小包封筒であり、更に前記の小包封筒において使用される小包封筒がいかなる素材により成型されかついかなる形状・大きさに成型される配返送併用式の配送方法に使用される小包封筒であるから、次のような多くの効果を有する。
ア、本発明方法によれば、郵便方法と同様な方法を宅配便などの流通方法に採用すること  で郵便方法と同様な効果が得られる。
イ、郵便方法の場合は使用封筒の形状・大きさなどが指定されているのと、その使用封筒  を送信用と返信用とに成形加工しなければならない。その結果、封筒の加工が複雑とな  り加工費用が高額となる。また、送信時と返信時に多くの手間ひまがかかりすぎるばか  りか封筒以外には応用することができないが、本発明方法によれば簡単容易に送付し返  送することができる。
ウ、本発明方法によれば宅配便などの物流には最適であり、いかなる形状・大きさの容器  であっても送付用と返送用の伝票のみで送付して返送することが可能となる。
エ、また単に送付したものを返送するだけでなく、第三者を介して転送できるとともに用  後のビン・カンなどの容器も回収することが可能となるので、リサイクルにも活用でき  る。
オ、更に小包封筒に配送先と返送先を直接印刷したり、あらかじめ記入されている配送先  と返送先を小包封筒に直接貼着することによって、返送作業が簡便となる。特に、ダイ  レクトメール・商品見本・返品義務などの品物を配送するのに最適である。
カ、更に本発明方法によれば、配送されてきた小包封筒を返送用にも使用できるので返品  が必要の場合は最適であり、しかも一度に大量の品物を配送して返送される場合は特に  適している。
【発明を実施するための最良の形態】
【０００９】
本発明の最良な実施形態は、配送用の小包封筒と返送用の小包封筒とを備えた返送信併用式の配送方法において、配送品の返送を必要とする配送用の小包封筒に配送品を配送した小包に収納して配送元に返送することを特徴とする配返送併用式の配送方法であり、また前記の配送方法において配送先の宛名と返送先の宛名を封筒に直接印刷してなる配返送併用式の配送方法であり、また前記配送方法において配送用の伝票と返送用の伝票とを封筒に貼着してなる配返送併用式の配送方法であるから、従来の郵便物における送信用と返信用とを併用されている郵送方法を郵便物以外の品物の配送にも利用することができる。
【００１０】
また本発明の最良な実施形態は、配送物の返送を必要とする配送用の封筒において前記封筒を小包形状に成型可能となるように一体形成し、封筒の裏面に対して返送用の表面を内側に折曲げかつ配送用の表面を返送用の表面に重ね合わせるように折曲げ、更に両表面の両側部を貼着してなるとを特徴とする配返送併用式の配送方法に使用される小包封筒であり、また前記の小包封筒において配送用表面の上下部に切剥部を設けかつ下側部を貼着してなる請求項４記載の配返送併用式の配送方法に使用される小包封筒であり、また前記小包封筒において配送用表面に配送先の宛名を印刷又は配送先と返送先の宛名を記入された伝票を貼着してなる配返送併用式の配送方法に使用される小包封筒であり、更に前記の小包封筒において使用される小包封筒がいかなる素材により成型されかついかなる形状・大きさに成型される配返送併用式の配送方法に使用される小包封筒であるから、通常の郵送用封筒以外の小包封筒で配送して返送させることができる。
【実施例１】
【００１１】
以下、図面によって本発明の実施例について説明する。
図１から図４は、本発明の配返送併用式の配送方法に使用される小包封筒を示したものであり、１はその小包封筒本体である。この小包封筒本体１は、従来の小包封筒を改良したものであり、図２の展開図により具体的に説明する。まず長方形の形紙となるように形成し、封筒表部２を中央にして返信用伝票１０を貼着した部分を内側に折曲げ更に送信用伝票９を貼着した部分を重ね合せるようにして折曲げる。その際、送信用伝票１０の上に送信用伝票９が重ね合さることを条件とする。このように形成したならば折曲密封部６を糊などで貼り付ければ図３に示す小包封筒本体１が成型することができる。なお、図４は図１に示す小包封筒本体１のＡ−Ａ断面図である。このように構成された小包封筒本体１に送信用伝票９を形成する場合は、送信表示部４に送信用伝票９をミシン目などの切剥部８を上下に形成し、この上下の切剥部８を引き剥くことによって、送信表示部４の送信用伝票９を簡単に剥がすことができる。
【００１２】
次に図５から図６によって、本発明からなる小包封筒の使用方法について説明する。まず図１に示す状態で送信伝票を貼付して送信先に配送する。配送先に配送されたならば、上下の切剥部８を引き剥いて送信用伝票を送信表示部４から剥ぎ取り、封筒内の品物を取り出して小包封筒本体１を保存しておく。ついで、配送された品物を返品する場合は、配送されてきた小包封筒本体１内に品物を収納し、配送されてきた状態で糊付けなどで密封する。この状態で返送すれば、すでに返信用伝票１０が封筒表面２に返信伝票が貼付されているので、そのまま宅急配送所からそのままの状態で返信（配送）することができる。なお、本実施例では送信用と返信用の伝票を封筒に貼付した場合を示しているが、封筒に直接印刷することもできる。
【００１３】
更に、図８と図１０は本発明の他の実施例を示したものであり、図８は小包封筒本体１１に返信用伝票１４を上下のコーナーへ貼着する場合である。また図９と図１０は従来と同様に片側のみを貼着する場合である。
【図面の簡単な説明】
【００１４】
【図１】本発明の小包封筒を示した斜視図。
【図２】図１に示した小包封筒の展開図。
【図３】図１に示した小包封筒の組立図。
【図４】図１に示したＡ−Ａ断面図。
【図５】本発明封筒の使用状態を示した斜視図。
【図６】本発明封筒の使用状態を示した斜視図。
【図７】本発明封筒の使用状態を示した斜視図。
【図８】本発明封筒の他の実施例を示した平面図。
【図９】従来の封筒を示した説明概要図。
【図１０】従来の伝票を示した説明概要図。
【図１１−ａ】従来の郵便封筒を示した斜視図。
【図１１−ｂ】従来の郵便封筒を示した斜視図。
【図１１−ｃ】従来の郵便封筒を示した斜視図。
【図１２−ａ】従来の郵便封筒を示した斜視図。
【図１２−ｂ】従来の郵便封筒を示した斜視図。
【図１２−ｃ】従来の郵便封筒を示した斜視図。
【符号の説明】
【００１５】
１  小包封筒本体        ２  封筒表面
３  封筒裏面            ４  送信伝票
５  返信表示部          ６  折曲密封部
７  折曲部              ８  切剥部
９  送信用伝票          １０  返信用伝票
１１  封筒本体          １２  封筒表面
１３  送信表示部        １４  送信伝票
１５  返信用伝票        ２１  封筒本体
２２  封筒表面          ２３  送信用伝票
２４  貼着部            ３１  封筒本体
３２  表面              ３３  裏面
３４  開封部            ３５  糊付部
３６  脱着片            ３７  ミシン目
３８  フラップ          ３９  糊
４１  封筒本体          ４２  裏側
４３  内側片            ４４  ミシン目
４５  脱着片
Ａ  送信宛名            Ｂ  返信宛名
【図１】
2009113828.tif 000003
【図２】
2009113828.tif 000004
【図３】
2009113828.tif 000005
【図４】
2009113828.tif 000006
【図５】
2009113828.tif 000007
【図６】
2009113828.tif 000008
【図７】
2009113828.tif 000009
【図８】
2009113828.tif 000010
【図９】
2009113828.tif 000011
【図１０】
2009113828.tif 000012
【図１１−ａ】
2009113828.tif 000013
【図１１−ｂ】
2009113828.tif 000014
【図１１−ｃ】
2009113828.tif 000015
【図１２−ａ】
2009113828.tif 000016
【図１２−ｂ】
2009113828.tif 000017
【図１２−ｃ】
2009113828.tif 000018